(57)【要約】【課題】配信サーバの記憶容量を無駄にすることなく、ユーザ間でコンテンツの一部のみを共有できるコンピュータ端末、コンテンツ共有用コンピュータプログラム、コンテンツ共有システム及びコンテンツ共有方法を提供する。【解決手段】  ユーザ端末５のコンテンツ共有情報作成部２５は、コンテンツの共有対象部分の開始位置と終了位置として指定された位置に対応した再生開始位置情報と再生終了位置情報を含むクリップ情報を生成する共有対象設定部２５ａと、共有対象部分が含まれるコンテンツを特定するコンテンツ特定情報と、共有対象部分のクリップ情報を含む共有情報を作成する送信用共有情報作成部２５ｂとを備えている。共有情報部分を再生する際には、受信した共有情報に基づいて、コンテンツを特定し、且つ、共有対象部分の開始位置及び終了位置を特定し、コンテンツの共有対象部分を再生する。【選択図】  図１
2020150541.tif 000002
【特許請求の範囲】
【請求項１】
ユーザが操作する入力部と、表示画面を有する表示装置と、前記表示画面に配信サーバから受信した所定の再生時間を有し且つ再生位置情報を含むコンテンツを再生するコンテンツ再生部と、前記コンテンツを他のユーザと共有するための共有情報を作成するコンテンツ共有情報作成部と、前記共有情報を送信する送信部とを備えたコンピュータ端末であって、
前記コンテンツ共有情報作成部は、
前記コンテンツの共有対象部分の開始位置として指定された位置に対応した再生開始位置情報と終了位置として指定された位置に対応した再生終了位置情報を含むクリップ情報を生成する共有対象設定部と、
前記共有対象部分が含まれる前記コンテンツを特定するコンテンツ特定情報と、前記共有対象部分の前記クリップ情報を含む前記共有情報を作成する送信用共有情報作成部とを備えていることを特徴とするコンピュータ端末。
【請求項２】
前記共有対象設定部は、前記コンテンツの再生中に、前記入力部からの入力により前記開始位置の指定及び前記終了位置の指定を受け付け、前記クリップ情報を生成する請求項１に記載のコンピュータ端末。
【請求項３】
前記共有対象設定部は、前記配信サーバから受信した前記コンテンツに対して予め指定された前記開始位置及び前記終了位置に基づいて前記クリップ情報を生成する請求項１に記載のコンピュータ端末。
【請求項４】
前記コンテンツ再生部は、
前記コンテンツの前記共有対象部分を再生する際には、受信した前記共有情報に基づいて、前記コンテンツを特定し、且つ、前記共有対象部分の前記開始位置及び前記終了位置を特定し、前記コンテンツの前記共有対象部分を再生する請求項１または２に記載のコンピュータ端末。
【請求項５】
前記コンテンツ共有情報作成部は、前記入力部からの入力に応じて、前記共有対象設定部が生成した前記クリップ情報に含まれる前記再生開始位置情報及び前記再生終了位置情報を修正するクリップ情報修正部をさらに備えている請求項１乃至３のいずれか１項に記載のコンピュータ端末。
【請求項６】
前記入力部は、前記クリップ情報を特定するために操作するクリップボタンを含んでおり、
前記共有対象設定部は、前記クリップボタンが押されたことを検知して前記コンテンツの共有対象部分の前記開始位置の指定として受け付け、且つ、押された前記クリップボタンが離されたことを検知して前記終了位置の指定として受け付ける請求項２に記載のコンピュータ端末。
【請求項７】
前記入力部は、前記クリップ情報を特定するために操作するクリップボタンを含んでおり、
前記共有対象設定部は、前記クリップボタンが押されたことを検知して前記コンテンツの共有対象部分の前記開始位置の指定として受け付け、再度、前記クリップボタンが押されたことを検知して前記終了位置の指定として受け付ける請求項２に記載のコンピュータ端末。
【請求項８】
前記共有対象部分の前記開始位置から前記終了位置までの時間は、２秒以上１０秒以下である請求項１乃至７のいずれか１項に記載のコンピュータ端末。
【請求項９】
前記コンテンツの共有対象部分が再生されている間に、前記入力部を用いて解除操作を行うと、前記コンテンツの全体の再生が開始される請求項１乃至８のいずれか１項に記載のコンピュータ端末。
【請求項１０】
前記クリップ情報修正部は、前記コンテンツを、前記開始位置及び前記終了位置が表示されたタイムライン形式で前記表示画面に表示し、前記表示画面の表示に基づいて、前記入力部からの入力に応じて前記開始位置及び前記終了位置を調整することで前記クリップ情報に含まれる前記再生開始位置情報及び前記再生終了位置情報を修正する請求項５に記載のコンピュータ端末。
【請求項１１】
前記送信用共有情報作成部は、１以上の前記共有情報を含むプレイリストを１つの前記共有情報として作成する請求項１に記載のコンピュータ端末。
【請求項１２】
ユーザが操作する入力部と、表示画面を有する表示装置とを備えたコンピュータにインストールされて実行され、前記表示画面に配信サーバから受信した所定の再生時間を有し且つ再生位置情報を含むコンテンツを再生するコンテンツ再生部と、前記コンテンツを他のユーザと共有するための共有情報を作成するコンテンツ共有情報作成部と、前記共有情報を送信する送信部を前記コンピュータ内に実現するコンテンツ共有用コンピュータプログラムであって、
前記コンテンツ共有情報作成部は、
前記コンテンツの共有対象部分の開始位置として指定された位置に対応した再生開始位置情報と終了位置として指定された位置に対応した再生終了位置情報を含むクリップ情報を生成する共有対象設定部と、
前記共有対象部分が含まれる前記コンテンツを特定するコンテンツ特定情報と、前記共有対象部分の前記クリップ情報を含む前記共有情報を作成する送信用共有情報作成部とを備えていることを特徴とするコンテンツ共有用コンピュータプログラム。
【請求項１３】
前記共有対象設定部は、前記コンテンツの再生中に、前記入力部からの入力により前記開始位置の指定及び前記終了位置の指定を受け付け、前記クリップ情報を生成する請求項１２に記載のコンテンツ共有用コンピュータプログラム。
【請求項１４】
前記共有対象設定部は、前記配信サーバから受信した前記コンテンツに対して予め指定された前記開始位置及び前記終了位置に基づいて前記クリップ情報を生成する請求項１２に記載のコンテンツ共有用コンピュータプログラム。
【請求項１５】
前記コンテンツ再生部は、
前記コンテンツの前記共有対象部分を再生する際には、受信した前記共有情報に基づいて、前記コンテンツを特定し、且つ、前記共有対象部分の前記開始位置及び前記終了位置を特定し、前記コンテンツの前記共有対象部分を再生する請求項１２に記載のコンテンツ共有用コンピュータプログラム。
【請求項１６】
ユーザが操作する入力部と、表示画面を有する表示装置と、前記表示画面に配信サーバから受信した所定の再生時間を有し且つ再生位置情報を含むコンテンツを再生するコンテンツ再生部と、前記コンテンツを他のユーザと共有するための共有情報を作成するコンテンツ共有情報作成部と、前記共有情報を送信する送信部とを備えたコンテンツ再生端末を用いたコンテンツ共有方法であって、
前記コンテンツの共有対象部分の開始位置として指定された位置に対応した再生開始位置情報と終了位置として指定された位置に対応した再生終了位置情報を含むクリップ情報を生成する共有対象設定ステップと、
前記共有対象部分が含まれる前記コンテンツを特定するコンテンツ特定情報と、前記共有対象部分の前記クリップ情報を含む前記共有情報を作成する送信用共有情報作成ステップとを実行することを特徴とするコンテンツ共有方法。
【請求項１７】
前記共有対象設定部は、前記コンテンツの再生中に、前記入力部からの入力により前記開始位置の指定及び前記終了位置の指定を受け付け、前記クリップ情報を生成する請求項１６に記載のコンテンツ共有方法。
【請求項１８】
前記共有対象設定部は、前記配信サーバから受信した前記コンテンツに対して予め指定された前記開始位置及び前記終了位置に基づいて前記クリップ情報を生成する請求項１６に記載のコンテンツ共有方法。
【請求項１９】
前記コンテンツの前記共有対象部分を再生する際には、受信した前記共有情報に基づいて、前記コンテンツを特定し、且つ、前記共有対象部分の前記開始位置及び前記終了位置を特定し、前記コンテンツの前記共有対象部分を再生する共有コンテンツ再生ステップを実行する請求項１６に記載のコンテンツ共有方法。
【請求項２０】
所定の再生時間を有し且つ再生位置情報を含むコンテンツが記録され、複数のユーザからの求めに応じて前記コンテンツを配信する配信サーバを含むサーバシステムと、
前記ユーザが操作する入力部と、表示画面を有する表示装置と、前記表示画面に前記配信サーバから受信した前記コンテンツを再生するコンテンツ再生部と、前記コンテンツを他のユーザと共有するための共有情報を作成するコンテンツ共有情報作成部と、前記共有情報を送信する送信部とを備えた複数のユーザ端末とを備えたコンテンツ共有システムであって、
前記複数のユーザ端末のそれぞれの前記コンテンツ共有情報作成部は、
前記コンテンツの共有対象部分の開始位置として指定された位置に対応した再生開始位置情報と終了位置として指定された位置に対応した再生終了位置情報を含むクリップ情報を生成する共有対象設定部と、
前記ユーザのユーザＩＤと、前記共有対象部分が含まれる前記コンテンツを特定するコンテンツ特定情報と、前記共有対象部分の前記クリップ情報を含む前記共有情報を作成する送信用共有情報作成部とを備え、
前記サーバシステムは、
前記共有情報を保存する共有情報保存部と、
前記ユーザ端末からの指定に応じて、指定された前記共有情報を前記ユーザ端末に提供する共有情報提供部を備えており、
前記ユーザ端末の前記コンテンツ再生部は、
前記コンテンツの前記共有対象部分を再生する際には、受信した前記共有情報に基づいて、前記コンテンツを特定し、且つ、前記共有対象部分の前記開始位置及び前記終了位置を特定し、前記コンテンツの前記共有対象部分を再生することを特徴としたコンテンツ共有システム。
【請求項２１】
前記複数のユーザのうち、第１のユーザには、第１のアカウントが設定されており、
前記複数のユーザのうち、第２のユーザには、第２のアカウントが設定されており、
前記第２のアカウントが、前記第１のアカウントをフォローしている場合において、
前記第２のアカウントが設定された前記ユーザ端末の前記コンテンツ再生部は、前記ユーザからの再生開始指令に応じて、前記共有情報に含まれる前記ユーザＩＤに基づいて、前記第１のアカウントが共有した前記共有情報を前記共有情報保存部から入手し、前記第１のアカウントが共有した前記コンテンツの共有対象部分を再生する請求項２０に記載のコンテンツ共有システム。
【発明の詳細な説明】
【技術分野】
【０００１】
本発明は、コンテンツをユーザ間で共有するためのコンピュータ端末、コンテンツ共有用コンピュータプログラム、コンテンツ共有システム及びコンテンツ共有方法に関するものである。
【背景技術】
【０００２】
パソコンやスマートフォンの普及・高性能化により、音楽の録音や動画の撮影だけに止まらず、電気通信回線を介したユーザ間の音楽や動画の共有が盛んに行われるようになっている。例えば、特開２０１８−５８９３号公報（特許文献１）には、自身が撮影した動画を動画配信サーバにアップロードして、ユーザ間で共有することが記載されている。
【０００３】
また、既に配信されている音楽や動画の気に入ったものを、ユーザ間で共有することが以下の２通りの共有方法で行われている。
【０００４】
（１）配信されている動画をいったん自身の端末にダウンロードしてからアップロードする。
【０００５】
（２）配信されている動画を特定する情報（ＵＲＬ［Uniform Resource Locator］）を取得し、この情報を共有する。
【先行技術文献】
【特許文献】
【０００６】
【特許文献１】特開２０１８−５８９３号公報
【非特許文献】
【０００７】
【非特許文献１】Ｇｏｏｇｌｅ  ＬＬＣ「ＹｏｕＴｕｂｅヘルプ  動画やチャンネルを共有する」［２０１９年３月１日検索］、インターネット〈URL:https://support.google.com/youtube/answer/57741〉
【発明の概要】
【発明が解決しようとする課題】
【０００８】
上記（１）の共有方法の場合、配信サーバ上に同じ内容の音楽や動画が増加することになり、配信サーバの記憶容量に無駄が生じてしまう。また、音楽や動画という著作物の複製及び公衆送信を伴うことになり、著作権の観点からも問題が生じる可能性がある。
【０００９】
上記（２）の共有方法であれば上記（１）の共有方法で生じる問題は生じないが、例えば、長い動画の一部のみを共有する、というような共有は行うことができない。
【００１０】
なお、Ｇｏｏｇｌｅ  ＬＬＣが提供する動画配信サービス「ＹｏｕＴｕｂｅ」（登録商標）では、動画をユーザ間で共有する際に、動画の「開始位置」を設定し、動画の部分的な共有を実現しているが（非特許文献１）、これは開始位置のみを設定するものであり、動画内の特定部分のみの共有ができるものではない。
【００１１】
本発明の目的は、配信サーバの記憶容量を無駄にすることなく、ユーザ間で音楽や動画のようなコンテンツの一部のみを共有できるコンピュータ端末、コンテンツ共有用コンピュータプログラム、コンテンツ共有システム及びコンテンツ共有方法を提供することにある。
【課題を解決するための手段】
【００１２】
本発明は、ユーザが操作する入力部と、表示画面を有する表示装置と、表示画面に配信サーバから受信した所定の再生時間を有し且つ再生位置情報を含むコンテンツを再生するコンテンツ再生部と、コンテンツを他のユーザと共有するための共有情報を作成するコンテンツ共有情報作成部と、共有情報を送信する送信部とを備えたコンピュータ端末に関するものである。
【００１３】
本発明において「コンテンツ」は、上記の通り、所定の再生時間を有し且つ再生位置情報を含むものであり、例えば、音楽や動画が想定される。
【００１４】
本発明の「コンピュータ端末」は、コンテンツを再生し、ユーザがユーザ間でコンテンツの共有を行うために用いるユーザ端末であり、携帯電話、スマートフォン、タブレット端末、パソコン等の通信機能を有するものが想定されるが、これらに限られるものではない。
【００１５】
本発明のコンピュータ端末のコンテンツ共有情報作成部は、コンテンツの共有対象部分の開始位置として指定された位置に対応した再生開始位置情報と、終了位置として指定された位置に対応した再生終了位置情報を含むクリップ情報を生成する共有対象設定部と、共有対象部分が含まれるコンテンツを特定するコンテンツ特定情報と、共有対象部分のクリップ情報を含む共有情報を作成する送信用共有情報作成部とを備えている。
【００１６】
本発明は上記の通り構成されているため、簡単にコンテンツの一部を他のユーザに対して共有することができる。
【００１７】
共有対象設定部は、コンテンツの再生中に、入力部からの入力により開始位置の指定及び終了位置の指定を受け付け、クリップ情報を生成するようにしてもよい。このようにすれば、ユーザが、コンテンツの再生中に、すなわち、コンテンツの内容を確認しながら、入力部からコンテンツの共有対象部分の開始位置及び終了位置を指定するという簡単な操作をするだけで、コンテンツの一部を他のユーザに対して共有することができる。
【００１８】
また、共有対象設定部は、配信サーバから受信したコンテンツに対して予め指定された開始位置及び終了位置に基づいてクリップ情報を生成するようにしてもよい。このようにすれば、ユーザがクリップ情報を作成することなく、コンテンツの一部を他のユーザに対して共有することができる。
【００１９】
共有を受けたユーザのコンピュータ端末のコンテンツ再生部は、コンテンツの共有対象部分を再生する際には、受信した共有情報に基づいて、コンテンツを特定し、且つ、共有対象部分の開始位置及び終了位置を特定し、コンテンツの共有対象部分を再生する。このようにすることで、他のユーザから共有されたコンテンツの一部のみを再生することができる。
【００２０】
コンテンツ共有情報作成部は、入力部からの入力に応じて、共有対象設定部が生成したクリップ情報に含まれる再生開始位置情報及び再生終了位置情報を修正するクリップ情報修正部をさらに備えていてもよい。このようにすれば、共有対象部分に設定するつもりであった部分が多少ずれてしまったような場合や、配信サーバから受信した予め指定された開始位置及び終了位置が希望する位置と異なる場合に、改めてクリップ情報を作成することなく、クリップ情報修正部を用いて開始位置及び／または終了位置をずらして、正しい共有対象部分を設定することができる。
【００２１】
クリップ情報修正部は、例えば、コンテンツを、開始位置及び終了位置が表示されたタイムライン形式で表示画面に表示し、表示画面の表示に基づいて、入力部からの入力に応じて開始位置及び終了位置を調整することでクリップ情報に含まれる再生開始位置情報及び再生終了位置情報を修正するようにしてもよい。
【００２２】
入力部は、クリップ情報を特定するために操作するクリップボタンを含んでいてもよい。クリップボタンは、例えば、コンピュータ端末に備えられた物理的なボタンであってもよいし、タッチパネルやマウス等のユーザ・インターフェースで押すことが可能な表示画面に表示されたボタンであってもよい。共有対象設定部は、クリップボタンが押されたことを検知してコンテンツの共有対象部分の開始位置の指定として受け付け、且つ、押されたクリップボタンが離されたことを検知して終了位置の指定として受け付けるようにすればよい。また、共有対象設定部は、クリップボタンが押されたことを検知してコンテンツの共有対象部分の開始位置の指定として受け付け、再度、クリップボタンが押されたことを検知して終了位置の指定として受け付けるようになっていてもよい。このようにすれば、いわゆるボタンの長押し（例えば、タッチパネルの場合にはロングタップ）や、開始位置と終了位置の２回押しという簡単な操作によってコンテンツの共有対象部分を特定することができる。
【００２３】
共有対象部分の開始位置から終了位置までの時間は任意である。例えば、他のユーザにコンテンツを紹介する目的でコンテンツの一部を共有する場合には、コンテンツの２秒以上１０秒以下程度を聴かせたり見せたりすれば、コンテンツの概要を知らせることができると考えられるため、共有対象部分の開始位置から終了位置までの時間は２秒以上１０秒以下であってもよい。
【００２４】
コンテンツの共有対象部分が再生されている間に、入力部を用いて解除操作を行うと、コンテンツの全体の再生が開始されるようになっていてもよい。前述のように、他のユーザにコンテンツを紹介する目的でコンテンツの一部を共有している場合には、共有を受けたユーザは、共有対象部分を視聴して気に入った場合に、この方法で簡単にコンテンツの全体を視聴することができるようになる。
【００２５】
送信用共有情報作成部は、１以上の共有情報を含むプレイリストを１つの共有情報として作成することも可能である。プレイリストは送信部から配信サーバに送信される。このようにすれば、１以上のコンテンツをユーザ独自の切り口でまとめたプレイリストの形式でコンテンツの一部を他のユーザに対して共有することができる。
【００２６】
本発明はコンテンツ共有用コンピュータプログラムとしても把握する（または表現する）ことができる。すなわち、ユーザが操作する入力部と、表示画面を有する表示装置とを備えたコンピュータにインストールされて実行され、表示画面に配信サーバから受信した所定の再生時間を有し且つ再生位置情報を含むコンテンツを再生するコンテンツ再生部と、コンテンツを他のユーザと共有するための共有情報を作成するコンテンツ共有情報作成部と、共有情報を送信する送信部をコンピュータ内に実現するコンテンツ共有用コンピュータプログラムである。コンテンツ共有情報作成部は、コンテンツの共有対象部分の開始位置として指定された位置に対応した再生開始位置情報と終了位置として指定された位置に対応した再生終了位置情報を含むクリップ情報を生成する共有対象設定部と、共有対象部分が含まれるコンテンツを特定するコンテンツ特定情報と、共有対象部分のクリップ情報を含む共有情報を作成する送信用共有情報作成部とを備えている。共有対象設定部は、コンテンツの再生中に、入力部からの入力により開始位置の指定及び終了位置の指定を受け付け、クリップ情報を生成してもよいし、配信サーバから受信したコンテンツに対して予め指定された開始位置及び終了位置に基づいてクリップ情報を生成してもよい。
【００２７】
コンテンツ再生部は、コンテンツの共有対象部分を再生する際には、受信した共有情報に基づいて、コンテンツを特定し、且つ、共有対象部分の開始位置及び終了位置を特定し、コンテンツの共有対象部分を再生するようになっていてもよい。
【００２８】
本発明はコンテンツ共有方法としても把握する（または表現する）ことができる。すなわち、ユーザが操作する入力部と、表示画面を有する表示装置と、表示画面に配信サーバから受信した所定の再生時間を有し且つ再生位置情報を含むコンテンツを再生するコンテンツ再生部と、コンテンツを他のユーザと共有するための共有情報を作成するコンテンツ共有情報作成部と、共有情報を送信する送信部とを備えたコンテンツ再生端末を用いたコンテンツ共有方法である。コンテンツの共有対象部分の開始位置として指定された位置に対応した再生開始位置情報と終了位置として指定された位置に対応した再生終了位置情報を含むクリップ情報を生成する共有対象設定ステップと、共有対象部分が含まれるコンテンツを特定するコンテンツ特定情報と、共有対象部分のクリップ情報を含む共有情報を作成する送信用共有情報作成ステップとを実行する。コンテンツの共有対象部分を再生する際には、受信した共有情報に基づいて、コンテンツを特定し、且つ、共有対象部分の開始位置及び終了位置を特定し、コンテンツの共有対象部分を再生する共有コンテンツ再生ステップを実行する。共有対象設定部は、コンテンツの再生中に、入力部からの入力により開始位置の指定及び終了位置の指定を受け付け、クリップ情報を生成してもよいし、配信サーバから受信したコンテンツに対して予め指定された開始位置及び終了位置に基づいてクリップ情報を生成してもよい。
【００２９】
本発明はコンテンツ共有システムとしても把握する（または表現する）ことができる。すなわち、コンテンツ共有システムは、所定の再生時間を有し且つ再生位置情報を含むコンテンツが記録され、複数のユーザからの求めに応じてコンテンツを配信する配信サーバを含むサーバシステムと、ユーザが操作する入力部と、表示画面を有する表示装置と、表示画面に配信サーバから受信したコンテンツを再生するコンテンツ再生部と、コンテンツを他のユーザと共有するための共有情報を作成するコンテンツ共有情報作成部と、共有情報を送信する送信部とを備えた複数のユーザ端末とを備えている。複数のユーザ端末のそれぞれのコンテンツ共有情報作成部は、コンテンツの共有対象部分の開始位置として指定された位置に対応した再生開始位置情報と終了位置として指定された位置に対応した再生終了位置情報を含むクリップ情報を生成する共有対象設定部と、ユーザのユーザＩＤと、共有対象部分が含まれるコンテンツを特定するコンテンツ特定情報と、共有対象部分のクリップ情報を含む共有情報を作成する送信用共有情報作成部とを備えている。サーバシステムは、共有情報を保存する共有情報保存部と、ユーザ端末からの指定に応じて、指定された共有情報をユーザ端末に提供する共有情報提供部を備えている。
【００３０】
そして、ユーザ端末のコンテンツ再生部は、コンテンツの共有対象部分を再生する際には、受信した共有情報に基づいて、コンテンツを特定し、且つ、共有対象部分の開始位置及び終了位置を特定し、コンテンツの共有対象部分を再生する。
【００３１】
コンテンツ共有システムでは、複数のユーザのうち、第１のユーザには、第１のアカウントが設定されており、複数のユーザのうち、第２のユーザには、第２のアカウントが設定されており、第２のアカウントが、第１のアカウントをフォローしている場合において、第２のアカウントが設定されたユーザ端末のコンテンツ再生部は、ユーザからの再生開始指令に応じて、共有情報に含まれるユーザＩＤに基づいて、第１のアカウントが共有した共有情報を共有情報保存部から入手し、第１のアカウントが共有したコンテンツの共有対象部分を再生するようにしてもよい。
【００３２】
ここで、「フォロー」とは、フォローしたユーザ（フォロワー（follower））が、フォローされたユーザ（フォロイー（followee））の公開している情報を閲覧等できるようになる関係性のことである。多くの場合、自身が興味を有したユーザや、趣味趣向が合うユーザのことをフォローすることで、自身にとって有用な情報が得られるようになる。上記のように、第２のアカウントが第１のアカウントをフォローしている場合には、第２のアカウントが設定されたユーザ端末には、第１のアカウントのユーザ（第１のユーザ）が共有した共有情報に基づいて、コンテンツの一部が再生されることになり、第２のユーザも興味を持てるコンテンツの紹介等を受けることができるようになる。
【図面の簡単な説明】
【００３３】
【図１】本発明のコンテンツ共有システムの実施の形態の構成を示すブロック図である。
【図２】ユーザが共有情報を共有するまでのコンテンツ共有用コンピュータプログラムのアルゴリズムの一例を示すシーケンス図である。
【図３】ユーザが共有情報を作成する過程の一例を示すタイムチャートである。
【図４】表示画面に表示される画面の一例である。
【図５】フォロワーであるユーザのユーザ端末５の表示画面１７ａに共有されたコンテンツの一部が表示されるまでのコンテンツ共有用コンピュータプログラムのアルゴリズムの一例を示すシーケンス図である。
【図６】表示画面に表示される画面の一例である。
【図７】クリップ情報修正部によるクリップ情報の修正を示す例である。
【図８】第２の実施の形態のコンテンツ共有用コンピュータプログラムのアルゴリズムの一例を示すシーケンス図である。
【図９】共有情報をユーザ自身のコレクションとして保存するための画面の一例である。
【図１０】ユーザのアカウント管理画面の一例である。
【図１１】ユーザ自身の端末の表示画面にコンテンツの一部が表示されるまでのコンテンツ共有用コンピュータプログラムのアルゴリズムの一例を示すシーケンス図である。
【図１２】ユーザが共有情報を共有するまでのコンテンツ共有用コンピュータプログラムのアルゴリズムの一例を示すシーケンス図である。
【図１３】プレイリストの作成画面の一例である。
【図１４】プレイリストに含まれるコンテンツの位置が表示画面に表示されるまでのコンテンツ共有用コンピュータプログラムのアルゴリズムの一例を示すシーケンス図である。
【発明を実施するための形態】
【００３４】
＜第１の実施の形態＞
以下、図面を参照して、本発明のコンピュータ端末、コンテンツ共有用コンピュータプログラム、コンテンツ共有システム及びコンテンツ共有方法の実施の形態を詳細に説明する。図１は、本発明のコンテンツ共有システムの実施の形態の構成を示すブロック図である。
【００３５】
図１に示すように、本実施の形態のコンテンツ共有システム１は、サーバシステム３と、複数のユーザ端末５Ａ，５Ｂ，５Ｃ・・・（以下、総称して、符号５を付す場合がある）から構成されている。
【００３６】
サーバシステム３は、コンテンツが記録され、複数のユーザからの求めに応じてコンテンツを配信する配信サーバ７と、ユーザ端末５からの要求を処理し、ユーザ端末５に返すＡＰＩ（Application Programming Interface）サーバ９と、情報を記憶し、要求に応じて情報を提供するデータベースサーバ１１とを備えている。データベースサーバ１１は、特に後述の共有情報を保存する共有情報保存部１１ａと、ユーザ端末からの指定に応じて、指定された共有情報をユーザ端末に提供する共有情報提供部１１ｂを備えている。
【００３７】
本実施の形態では、「コンテンツ」は、所定の再生時間を有し且つ再生位置情報を含む動画である。各コンテンツには、コンテンツを識別するコンテンツＩＤが付与されて配信サーバ７に記憶されている。
【００３８】
本実施の形態では、複数のユーザ端末５Ａ，５Ｂ，５Ｃ・・・は、それぞれ、コンテンツを再生し、ユーザがユーザ間でコンテンツの共有を行うために用いるコンピュータ端末である。具体的には、本実施の形態では、ユーザ所有のスマートフォンやタブレット端末であり、電気通信回線ＮＷを介してサーバシステム３と接続されている。図１では、ユーザ端末５は、５Ａ、５Ｂ、５Ｃの３台のみ図示しているが、コンテンツ共有システム１は、これ以上にユーザ端末を含んでいてもよいのはもちろんである。また複数のユーザ端末５の基本的な構成はそれぞれ共通であるため、図１では、ユーザ端末５Ａのみを詳細に説明して、他のユーザ端末については、符号（５Ｂ、５Ｃ）のみを付して説明を省略する。
【００３９】
ユーザ端末５は、ユーザが操作する入力部１３と、データ記憶部１５と、表示装置１７と、制御部１９と、通信部２１を備えている。表示装置１７は、タッチパネル式の表示画面１７ａを有しており、表示画面１７ａが入力部１３を兼ねている。本実施の形態では、入力部１３には、特に後述のクリップボタンＣＬＢが含まれている。データ記憶部１１は、コンテンツ共有用コンピュータプログラムの他、設定されているアカウントに関する情報、共有した共有情報等の情報を記憶している。
【００４０】
本システムのユーザは、予め、自身のユーザ端末５にコンテンツ共有用コンピュータプログラムをインストールしておく。これにより、コンテンツ共有用コンピュータプログラムを実行することで、該ユーザ向けにコンテンツ共有システム１がユーザ端末５に構築される。ユーザは自身のユーザ端末５を操作することで、コンテンツ共有用コンピュータプログラムを介して、コンテンツ共有システム１を利用することができる。各ユーザは、コンテンツ共有システム１を利用するに先立って、ユーザ登録を行い、コンテンツ共有システム１を利用するためのアカウントを取得する。アカウントを取得すると、ユーザには、ユーザＩＤが付与され、ユーザ端末５のデータ記憶部１１には、アカウントに関する情報が記憶される。
【００４１】
ユーザ端末５にコンテンツ共有用コンピュータプログラムをインストールすることで、ユーザ端末５には、コンテンツ再生部２３と、コンテンツ共有情報作成部２５と、送信部２７が実現される。
【００４２】
コンテンツ再生部２３は、ユーザからの指示またはユーザが特定の操作をした場合に、コンテンツを再生する。コンテンツの再生は、コンテンツの全体を再生する場合と、コンテンツの一部である共有対象部分を再生することを含む。
【００４３】
コンテンツ共有情報作成部２５は、コンテンツの再生中に、入力部１３（クリップボタンＣＬＢ）からの入力によるコンテンツの共有対象部分の開始位置の指定及び終了位置の指定を受け付けると、開始位置の指定に対応した再生開始位置情報と終了位置の指定に対応した再生終了位置情報を含むクリップ情報を生成する共有対象設定部２５ａと、ユーザのユーザＩＤと、共有対象部分が含まれるコンテンツを特定するコンテンツ特定情報（コンテンツＩＤ）と、共有対象部分のクリップ情報を含む共有情報を作成する送信用共有情報作成部２５ｂと、クリップ情報を修正するためのクリップ情報修正部２５ｃを備えている。上述の通り、本実施の形態では、「共有情報」には、（１）共有情報を作成したユーザのユーザＩＤと、（２）共有対象部分が含まれるコンテンツのコンテンツＩＤと、（３）再生開始位置情報と再生終了位置情報を含むクリップ情報が含まれている。
【００４４】
本実施の形態のコンテンツ共有システム１は、ユーザ間で交流を行える、いわゆるＳＮＳ（Social Networking Service）機能を有している。各ユーザは、他のユーザのアカウントをフォローすることができ、フォローすることで、フォロワーのアカウントが設定されたユーザ端末で、フォロイーの公開している情報が閲覧等可能になる。
【００４５】
〔共有情報の作成から共有まで〕
本例では、コンテンツ共有システム１の複数のユーザのうち、第１のユーザに、第１のアカウントが設定されており、第２のユーザに、第２のアカウントが設定されており、第２のアカウントが第１のアカウントをフォローしている場合を想定する。
【００４６】
図２は、ユーザ（本例では、第１のユーザ）が共有情報を共有するまでのコンテンツ共有用コンピュータプログラムのアルゴリズムの一例を示すシーケンス図であり、図３（Ａ）〜（Ｃ）は、ユーザが共有情報を作成する過程の一例を示すタイムチャートであり、図４（Ａ）〜（Ｃ）は、表示画面に表示される画面の一例である。
【００４７】
コンテンツを他のユーザに共有するユーザ（本例では、第１のユーザ）は、まず、自身のユーザ端末５を操作して対象となるコンテンツ（本例では、コンテンツα）を特定し、配信サーバ７にリクエストを送信する（ステップＳＴ１）。リクエストを受けて、配信サーバ７からはストリーミング形式でコンテンツのデータが提供され、ユーザ端末５では、コンテンツの再生が開始される（ステップＳＴ２・図４（Ａ））。
【００４８】
次に、ユーザは、共有情報を作成する。図３（Ａ）〜（Ｃ）は、コンテンツの２秒から６秒までの４秒間を共有対象部分とする一例である。ユーザは、コンテンツの再生中に、コンテンツを視聴しながら、２秒の時点でクリップボタンＣＬＢを指で押す（ロングタップする）（ステップＳＴ３・図４（Ｂ））。クリップボタンＣＬＢを押している間、クリップボタンＣＬＢは押されていない状態よりも大きく表示される。ユーザはそのままコンテンツの視聴を続け、６秒の時点でクリップボタンＣＬＢを押していた指を離す（ステップＳＴ４）。この操作によって、共有対象設定部２５ａは、クリップ情報を生成し、送信用共有情報作成部２５ｂは、ユーザＩＤと、コンテンツＩＤと、クリップ情報を含む共有情報を作成する。なお、本実施の形態では、開始位置から終了位置までの時間は、２秒以上１０秒以下になるように設定されているため、２秒から開始して、もし１秒経過の時点でクリップボタンＣＬＢを押していた指を離した場合には、共有情報は作成されず、また、もしユーザが１２秒時点でもクリップボタンＣＬＢを押していた場合には、強制的に１２秒経過時点で１０秒間の共有情報を作成する。なお、他の実施の形態では、２秒から開始して、もし１秒経過の時点でクリップボタンＣＬＢを押していた指を離した場合には、強制的に２秒間の共有情報を作成するようにしていてもよい。
【００４９】
本実施の形態では、コンテンツ再生部２３が作成された共有情報が適切なものであるかをユーザに確認させるため、プレビュー再生を行う（ステップＳＴ５、ステップＳＴ６・図４（Ｃ））。すなわち、コンテンツ再生部２３は、コンテンツの２秒から６秒までの４秒間を共有対象部分を再生する。共有しようとしていた部分が多少ずれてしまったような場合には、ユーザは、クリップ情報修正部２５ｃを用いて、クリップ情報を修正することも可能である。また、キャンセルボタンＣＡＢでキャンセルして、改めてクリップ情報を作成することも可能である。再度プレビュー再生をしたい場合には、リプレーボタンＲＢを押す（タップする）。問題がないことが確認できたら、ユーザは、図４（Ｃ）に表示された投稿ボタンＣＯＢを押し（タップし）、共有情報が共有される（ステップＳＴ７）。具体的には、ユーザ端末５の送信部２７によって通信部２１を介して共有情報がＡＰＩサーバ９に送信され（ステップＳＴ７）、ＡＰＩサーバ９が共有情報をデータベースサーバ１１の共有情報保存部１１ａに保存する（ステップＳＴ８）。
【００５０】
〔共有情報に基づくコンテンツの視聴〕
図５は、フォロワーであるユーザ（本例では、第２のユーザ）のユーザ端末５の表示画面１７ａに共有されたコンテンツの一部が表示されるまでのコンテンツ共有用コンピュータプログラムのアルゴリズムの一例を示すシーケンス図であり、図６は、表示画面に表示される画面（ホーム画面）の一例である。
【００５１】
ユーザ（本例では、第２のユーザ）がユーザ端末５を操作してコンテンツ共有用コンピュータプログラムを起動すると、初期画面であるホーム画面の表示処理を開始し、コンテンツ再生部２３は、再生開始指令が出されたと判断し、ＡＰＩサーバ９にリクエストを送信する（ステップＳＴ１０）。ＡＰＩサーバ９は、リクエストに基づいて、ユーザがフォローしてるユーザのリストと、そのユーザが共有した共有情報の抽出要求を提供し（ステップＳＴ１１）、データベースサーバ１１の共有情報提供部１１ｂが応答する（ステップＳＴ１２）。ＡＰＩサーバ９は、得られた共有情報をユーザ端末５に返す（ステップＳＴ１３）。
【００５２】
共有情報を得たユーザ端末５のコンテンツ再生部２３は、コンテンツＩＤに基づいてコンテンツを特定し、且つ、クリップ情報に基づいて、コンテンツの共有対象部分の開始位置及び終了位置を特定する。上記の例に基づけば、コンテンツを「コンテンツα」と特定し、再生開始位置「２秒」と終了位置「６秒」を特定し、コンテンツ再生部２３は、配信サーバ７にリクエストを送信する（ステップＳＴ１４）。リクエストを受けて、配信サーバ７からはストリーミング形式でコンテンツαの開始位置２秒から終了位置６秒までのデータが提供される（ステップＳＴ１５）。ユーザ端末５では、図６に示すように、コンテンツαの２秒からの動画が表示されたホーム画面が表示され（ステップＳＴ１６）、６秒までの４秒間再生される（ステップＳＴ１７）。共有対象部分の表示中は、表示画面には、コンテンツのタイトルやアーティスト、演者等に関する文字情報や、共有対象部分に付されたハッシュタグ（「＃」ではじまる検索用のタグ）も表示されている。その後、第１のユーザが共有した他の共有対象部分や、第２のユーザがフォローしている他のユーザが共有した共有対象部分についても同様に連続的に再生される（ステップＳＴ１４〜ＳＴ１７の繰り返し）。共有対象部分の再生順は、コンテンツＩＤの順や、ランダムでもよい。さらに、本実施の形態では、切り替えボタンＳＢを押す（タップする）ことで、フォローしていないユーザが共有した共有対象部分や、再生数の多い人気の高いコンテンツの共有対象部分や、コンテンツ共有システム１を運営している運営者が共有した共有対象部分等が再生されるようになっている。表示画面１７ａを左右にスワイプ（画面に触れた指を滑らせる動作）したり、表示画面１７ａの左右の端部の矢印ボタンをタッチすることで再生する共有対象部分を切り替えることも可能である。また、表示されたハッシュタグをタップすることで、同じハッシュタグが付された他の共有対象部分が表示される。
【００５３】
ユーザは、ホーム画面で連続的に再生される共有対象部分を視聴し、コンテンツ全体の視聴を希望するものがあった場合には、入力部１３を用いて解除操作を行うことで、当該コンテンツの全体を再生することができる。本実施の形態では、解除操作は表示画面１７ａを上方向にスワイプする操作であり、共有対象部分を視聴中に上方向にスワイプをすると、コンテンツの全体の再生が開始される。
【００５４】
〔クリップ情報修正部の一例〕
図７は、クリップ情報修正部２３によるクリップ情報の修正を示す例である。この例では、クリップ情報修正部２３は、コンテンツを開始位置及び終了位置が表示されたタイムライン形式で表示している。この表示では、開始位置と終了位置で区分けされたコンテンツの共有対象部分が特定されている。ユーザは、入力部１３を用いて、表示画面を見ながら、(1)共有対象部分の時間を変えないでスライドさせる（ずらす）操作、(1)開始位置・終了位置をスライドさせる（ずらす）操作が可能であり、クリップ情報に含まれる再生開始位置情報及び再生終了位置情報を修正し、クリップ情報を修正することができる。
【００５５】
＜第２の実施の形態＞
図８乃至図１１は、本発明のコンテンツ共有システムの第２の実施の形態に関するものである。第２の実施の形態は、第１の実施の形態にユーザ自身のコレクション機能を追加したものであり、第１の実施の形態と共通する部分については、図１乃至図６に付した符号に１００を加えた数の符号を付して、その説明を省略する。
【００５６】
本実施の形態では、ステップＳＴ８でＡＰＩサーバ９が共有情報をデータベースサーバ１１の共有情報保存部１１ａに保存した後、図９に示す画面が表示され、追加ボタンＡＤＢを押すことで、さらに、共有情報をユーザ自身のコレクションとして保存することが可能となっている（ステップＳＴ９）。コレクションに追加されると、図１０に示すように、ユーザのアカウント管理画面において、収集した共有情報のリストを確認することができるようになる。
【００５７】
ユーザは、自身がコレクションした共有情報に基づいてコンテンツを視聴できる。コンテンツの一部を視聴するまでの流れは、図１１に示すように、図５に示したフォロワーであるユーザのユーザ端末にコンテンツの一部が表示されるまでの流れと基本的に同じである。なお、この場合には、ステップＳＴ１０において、収集した共有情報のリストのうち、１つを選択して視聴するのか、また、複数を選択して視聴するのかを選ぶことが可能になっている。
【００５８】
＜第３の実施の形態＞
図１２乃至図１４は、本発明のコンテンツ共有システムの第３の実施の形態に関するものである。第３の実施の形態は、共有対象設定部が、配信サーバから受信したコンテンツに対して予め指定された開始位置及び終了位置に基づいてクリップ情報を生成し、また、送信用供給情報作成部が１以上の共有情報を含むプレイリストを１つの共有情報として作成し、送信部がプレイリストを配信サーバに送信し、プレイリスト形式でコンテンツの一部を他のユーザに対して共有できるものである。図１２は、ユーザが共有情報を共有するまでのコンテンツ共有用コンピュータプログラムのアルゴリズムの一例を示すシーケンス図であり、図１３は、プレイリストの作成画面の一例であり、図１４は、プレイリストに含まれるコンテンツの位置が表示画面に表示されるまでのコンテンツ共有用コンピュータプログラムのアルゴリズムの一例を示すシーケンス図である。コンテンツ共有システムの構成自体は第１の実施の形態と共通するものであり、第１の実施の形態と共通する部分については、図１乃至図６に付した符号に２００を加えた数の符号を付して、その説明を省略する。
【００５９】
〔共有情報の作成から共有まで〕
本例では、コンテンツ共有システム２０１の複数のユーザのうち、第１のユーザに、第１のアカウントが設定されており、第２のユーザに、第２のアカウントが設定されており、第２のアカウントが第１のアカウントをフォローしている場合を想定する。
【００６０】
本実施の形態では、図１２のシーケンス図にしたがい、１以上の共有情報を含むプレイリストを１つの共有情報として作成する。図１３は、プレイリストの作成画面の一例である。プレイリストの作成画面には、コンテンツ再生画面部ＡＲ１、プレイリストについてのコメントを記載するコメント部ＡＲ２、追加されたコンテンツが並ぶリスト部ＡＲ３、及び、操作ボタンＢＴ１〜ＢＴ３が配置されている。
【００６１】
プレイリストを作成するユーザ（本例では、第１のユーザ）は、まず、自身のユーザ端末２０５を操作して空のプレイリストを作成する（ステップＳＴ１）。続いて、ユーザは、プレイリストにコンテンツを追加するため、コンテンツ追加操作を行い（ステップＳＴ２・操作ボタンＢＴ１（「動画を追加」）を押す）、コンテンツの検索を行い、ＡＰＩサーバ２０９にリクエストを送信する（ステップＳＴ３）。リクエストを受けて、ＡＰＩサーバ２０９は、データベースサーバ２１１から該当するコンテンツの一覧を取得し（ステップＳＴ４及びＳＴ５）、ユーザ端末２０５にコンテンツの一覧を提供する（ステップＳＴ６）。本実施の形態では、各コンテンツには、配信サーバから受信した各コンテンツについて予め指定された（デフォルトの）開始位置に対応した再生開始位置情報及び終了位置に対応した再生終了位置情報が含まれている。ユーザは、得られたコンテンツの一覧からプレイリストに追加するコンテンツを選択する（ステップＳＴ７）。この際、併せて、共有対象設定部２２５ａは、各コンテンツに含まれた再生開始位置情報及び再生終了位置情報に基づいてクリップ情報を生成し、送信用共有情報作成部２２５ｂは、ユーザＩＤと、コンテンツＩＤと、クリップ情報を含む共有情報を作成する。コンテンツを追加すると、バックグラウンドでは、プレイリストに追加されたコンテンツについて、データベースサーバ２１１の共有情報保存部２１１ａへの一時保存処理が行われる（ステップＳＴ８及びＳＴ９）。他のコンテンツもプレイリストに含める場合には、ユーザは、ステップＳＴ２乃至ＳＴ９を繰り返す。
【００６２】
本実施の形態では、配信サーバから受信した予め指定された再生開始位置情報及び再生終了位置情報を利用してクリップ情報が生成されており、ユーザは、クリップ情報修正部２２３を用いて、コンテンツの開始位置及び終了位置を修正することも可能である。修正を希望する場合、ユーザは、プレイリストから修正する対象のコンテンツを選択する（ステップＳＴ１０）。この操作により、ユーザ端末２０５からは配信サーバ２０７に対してコンテンツの再生リクエストが送信され（ステップＳＴ１１）、ストリーミング形式でコンテンツの再生が開始され、合わせて、クリップ情報修正部２２３により開始位置及び終了位置が表示されたタイムライン形式でコンテンツが表示される（ステップＳＴ１２）。上記及び図７に示した例と同様にしてクリップ情報を修正したら（ステップＳＴ１３）、プレビュー再生で確認を行い（ステップＳＴ１４）、問題がなければ、配信サーバに含まれるデータベースサーバ２１１の共有情報保存部２１１ａへの保存処理を行う（ステップＳＴ１５及びＳＴ１６）。これにより、該コンテンツのクリップ情報及び共有情報が更新される。修正を希望しない場合には、ステップＳＴ１０乃至ＳＴ１６は省略することが可能である。
【００６３】
プレイリストへのコンテンツの追加（及び、必要に応じてクリップ情報の修正）が完了したら、ユーザは、操作ボタンＢＴ２（「プレビュー」ボタン）を押して確認を行い（ステップＳＴ１６乃至ＳＴ１８）、問題がなければ、操作ボタンＢＴ３（「投稿」ボタン）を押す。これにより、送信用共有情報作成部２２５ｂが作成されたプレイリストを１つの共有情報として作成し、データベースサーバ２１１の共有情報保存部２１１ａに保存する（ステップＳＴ１９及びＳＴ２０）。
【００６４】
〔共有情報に基づくコンテンツの視聴〕
図１４は、フォロワーであるユーザ（本例では、第２のユーザ）のユーザ端末２０５の表示画面２１７ａに共有されたコンテンツの一部が表示されるまでのコンテンツ共有用コンピュータプログラムのアルゴリズムの一例を示すシーケンス図である。
【００６５】
ユーザ（本例では、第２のユーザ）がユーザ端末２０５を操作して、コンテンツ共有用コンピュータプログラムを起動すると、ユーザがフォローしているユーザ（本例では、第１のユーザ）が作成したプレイリスト形式の共有情報や、コンテンツ共有システム２０１を運営している運営者が用意したプレイリスト形式の共有情報が選択可能になる。そのうちの１つを選択すると（ステップＳＴ３１）、ＡＰＩサーバ２０９はデータベースサーバ２１１に対して抽出要求を出し（ステップＳＴ３２）、データベースサーバ２１１の共有情報提供部２１１ｂが応答する（ステップＳＴ３３）。ＡＰＩサーバ２０９は、得られた共有情報をユーザ端末２０５に返す（ステップＳＴ３４）。
【００６６】
１以上の共有情報を含むプレイリスト形式の共有情報を得たユーザ端末２０５のコンテンツ再生部２２３は、プレイリストの最初にリストアップされたコンテンツをコンテンツＩＤに基づいて特定し、且つ、クリップ情報に基づいて、コンテンツの共有対象部分の開始位置及び終了位置を特定し、コンテンツ再生部２２３は、配信サーバ２０７にリクエストを送信する（ステップＳＴ３５）。リクエストを受けて、配信サーバ７からはストリーミング形式でコンテンツの一部のデータが提供され（ステップＳＴ３６）、ユーザ端末２０５の表示画面には、コンテンツの共有対象部分が再生される（ステップＳＴ３７）。ステップＳＴ３５乃至ＳＴ３７は、ユーザによって止められない限り、プレイリストにリストアップされたコンテンツを全て再生するまで繰り返される。プレイリストに含まれるコンテンツの再生が終わると、ユーザによって他の操作がなされない限り、自動的に他のプレイリストが選択され、ステップＳＴ３１乃至ＳＴ３７が繰り返される。
【００６７】
上記実施の形態は、一例として記載したものであり、その要旨を逸脱しない限り、本発明は本実施例に限定されるものではない。例えば、上記例では、コンテンツ共有システムはＳＮＳ機能を有しており、フォロイーとフォロワーの間で共有対象部分を共有することを主な目的としていたが、そのような機能を有していないコンテンツ共有システムでもよい。この場合、共有情報にはユーザＩＤは不要であり、ユーザのホーム画面には任意のユーザが共有した共有対象部分が表示されるシステムとなる。
【００６８】
また、上記例では、初期画面であるホーム画面に共有対象部分が表示されているが、それ以外の画面で表示するようにしてもよいのはもちろんである。例えば、コンテンツの全体を視聴するモードと、共有対象部分を視聴するためのモード切り替えが可能であってもよいし、コンテンツの全体と共有対象部分が混在して再生されてもよい。
【００６９】
また、上記例では、ユーザ端末は、タッチパネル式の表示画面を有しているスマートフォンやタブレット端末としたが、タッチパネル式の表示画面を有していないパソコン等であってもよいのはもちろんである。この場合には、入力部は、マウス、タッチパッド、キーボード等のユーザが操作するユーザ・インターフェースであり、クリップボタンＣＬＢは表示画面に表示されたボタンである。
【００７０】
また、上記第１の実施の形態の例では、共有情報を作成する際に、クリップボタンＣＬＢを長押し（ロングタップ）しているが、クリップボタンＣＬＢが押された（タップされた）ことを検知してコンテンツの共有対象部分の開始位置の指定として受け付け、再度、クリップボタンＣＬＢが押された（タップされた）ことを検知して終了位置の指定として受け付けるようになっていてもよい。もちろん、第３の実施の形態の例のように、配信サーバから受信したコンテンツが予め指定された開始位置及び終了位置を含んでいて、これに基づいてクリップ情報を作成するようにしてもよい。
【産業上の利用可能性】
【００７１】
本発明によれば、配信サーバの記憶容量を無駄にすることなく、ユーザ間で音楽や動画のようなコンテンツの一部のみを共有できるコンピュータ端末、コンテンツ共有用コンピュータプログラム、コンテンツ共有システム及びコンテンツ共有方法を提供することができる。
【符号の説明】
【００７２】
１  コンテンツ共有システム
３  サーバシステム
５  ユーザ端末
７  配信サーバ
９  ＡＰＩサーバ
１１  データベースサーバ
１１ａ  共有情報保存部
１１ｂ  共有情報提供部
１３  入力部
１５  データ記憶部
１７  表示装置
１７ａ  表示画面
１９  制御部
２１  通信部
２３  コンテンツ再生部
２５  コンテンツ共有情報作成部
２５ａ  共有対象設定部
２５ｂ  送信用共有情報作成部
２５ｃ  クリップ情報修正部
２７  送信部
【図１】
2020150541.tif 000003
【図２】
2020150541.tif 000004
【図３】
2020150541.tif 000005
【図４】
2020150541.tif 000006
【図５】
2020150541.tif 000007
【図６】
2020150541.tif 000008
【図７】
2020150541.tif 000009
【図８】
2020150541.tif 000010
【図９】
2020150541.tif 000011
【図１０】
2020150541.tif 000012
【図１１】
2020150541.tif 000013
【図１２】
2020150541.tif 000014
【図１３】
2020150541.tif 000015
【図１４】
2020150541.tif 000016